(57)【要約】【課題】スタッドに巻き付けられた補強紙よりも集合板の端部が外側に突き出ているため容器内に無駄な空間ができ、容器内に封入する絶縁油等の絶縁媒体を多く必要になるのでコストが増大するといった問題があった。また、突き出し電極を保護するための保護部材が厚かった場合、スタッドの移動が保護部材に妨げられ、スタッドの他端を集合板の穴に通すことが困難になり、作業性が悪くなるといった問題もあった。【解決手段】集合板の端部の突き出し部が無くなることによってコンデンサ装置全体を小型化できるので、容器内に封入する絶縁油等の絶縁媒体の量を減らし、コストの低減を図ることができる。また、集合板の端部を折り曲げ等による直角な固定部を設け、平鋼等の集合部材を固定部にボルト等で容易に固定することができるようになり作業性が向上する。【選択図】図１
2011233719.tif 000002
【特許請求の範囲】
【請求項１】
誘電体と一対の電極箔とが各電極箔の側縁部が互いに誘電体の側縁部から突出するように交互に重ね合わされて筒状に巻回された後、扁平状に成形され、突出した前記電極箔が折りたたまれて突き出し電極が構成されたコンデンサ素子を、複数並設し、集合板で挟み、集合部材で固定した後、容器に収納し絶縁媒体を充填密閉したコンデンサ装置において、前記集合板の端部に直角な固定部を設け、前記集合部材を前記固定部に接続したことを特徴とするコンデンサ装置。
【発明の詳細な説明】
【技術分野】
【０００１】
本発明は、フィルム状の誘電体と電極箔とからなるコンデンサ素子が複数並設されて容器内に絶縁媒体とともに封入されている電力用などに使用されるコンデンサ装置に関するものである。
【背景技術】
【０００２】
ポリプロピレン等の誘電体フィルムや紙などのフィルム状の誘電体と一対のアルミニウムなどの電極箔とが交互に重ね合わされて筒状に巻回された後に、扁平状に成形されてコンデンサ素子が構成される。そして、複数個のコンデンサ素子の両側を締付板ではさみ、スタッドで固定する構造となっている。（特許文献１、２）
【０００３】
上記の構成に加え、コンデンサ素子に突き出し電極が設けられたコンデンサ装置について図３および図４を用いて説明する。図に示すコンデンサ素子１は、ポリプロピレン等の誘電体フィルムや紙などのフィルム状の誘電体と一対のアルミニウムなどの電極箔とが、各電極箔の側縁部が互いに誘電体の側縁部から突出するように交互に重ね合わされて筒状に巻回された後に扁平状に成形される。このコンデンサ素子１の側縁部では電極箔が露出しており、この露出した部分が折りたたまれて突き出し電極１ａが構成される。
【０００４】
図３および図４に示すように複数のコンデンサ素子１が並設され（図中では８個）、このコンデンサ素子１の集合体を挟み込むように保護部材５が配置される。この保護部材５は絶縁物で構成されており、保護部材５は後述する集合板２に対する絶縁破壊（沿面）を防ぐ目的で設けられている。そして、この保護部材５の両面から集合板２がコンデンサ素子１を挟み込むように配置される。集合板２には後述するスタッド６を取り付けるための穴が設けられている。
【０００５】
集合板２に設けられた穴にスタッド６が通され、固定されることによって複数のコンデンサ素子１と集合板２および保護部材５は一体化される。このスタッド６には補強紙４が巻き付けられており、補強紙４はスタッド６とコンデンサ素子１との間で絶縁破壊を生じさせないために設けられている。スタッド６によって集合板２および保護部材５と一体化されたコンデンサ素子１は、タンクや缶などの容器（図示せず）に収納され、絶縁油や絶縁ガスといった絶縁媒体が充填された後、密閉されてコンデンサ装置が完成する。
【０００６】
次に、スタッド６でコンデンサ素子１を一体化する手順について図５を用いて説明する。片側の集合板２に設けられた穴にスタッド６の一端が奥まで通される。スタッド６に巻き付けられた補強紙４で保護部材５を押さえるように矢印方向にスタッド６が移動させられ、他方の集合板２に設けられた穴にスタッド６の他端が通される。その後、スタッド６が動かないようにナット（図示せず）で固定される。
【先行技術文献】
【特許文献】
【０００７】
【特許文献１】特開平１０−１０６８８６号公報
【特許文献２】特開２０００−２７７３７５号公報
【発明の概要】
【発明が解決しようとする課題】
【０００８】
スタッド６に巻き付けられた補強紙４よりも集合板２の端部が外側に突き出ているため容器内に無駄な空間ができ、容器内に封入する絶縁油等の絶縁媒体を多く必要になるのでコストが増大するといった問題があった。
また、保護部材５が厚かった場合、スタッド６の移動が保護部材５に妨げられ、スタッド６の他端を集合板２の穴に通すことが困難になり、作業性が悪くなるといった問題もあった。
【課題を解決するための手段】
【０００９】
本発明は、誘電体と一対の電極箔とが各電極箔の側縁部が互いに誘電体の側縁部から突出するように交互に重ね合わされて筒状に巻回された後、扁平状に成形され、突出した前記電極箔が折りたたまれて突き出し電極が構成されたコンデンサ素子を、複数並設し、集合板で挟み、集合部材で固定した後、容器に収納し絶縁媒体を充填密閉したコンデンサ装置において、前記集合板の端部を折り曲げ等による直角な固定部を設け、前記集合部材を前記固定部に接続したことを特徴としている。
【発明の効果】
【００１０】
集合板の端部の突き出し部が無くなることによってコンデンサ装置全体を小型化できるので、容器内に封入する絶縁油等の絶縁媒体の量を減らし、コストの低減を図ることができる。また、集合板の端部を折り曲げ等による直角な固定部を設けることによって集合部材をボルト等で容易に固定することができるようになり作業性が向上する。
【図面の簡単な説明】
【００１１】
【図１】図１は本発明の実施形態に係るコンデンサ装置の平面図である。
【図２】図２は本発明の実施形態に係るコンデンサ装置の斜視図である。
【図３】図３は従来のコンデンサ装置の平面図である。
【図４】図２は従来のコンデンサ装置の斜視図である。
【図５】図３は従来のコンデンサ装置の平面図である。
【発明を実施するための形態】
【００１２】
以下、本発明の実施例について図１および図２を用いて説明する。コンデンサ素子１は、ポリプロピレン等の誘電体フィルムや紙などのフィルム状の誘電体と一対のアルミニウムなどの電極箔とが、各電極箔の側縁部が互いに誘電体の側縁部から突出するように交互に重ね合わされて筒状に巻回された後に扁平状に成形される。そして、突出した電極箔が折りたたまれて突き出し電極１ａが構成される。
【００１３】
コンデンサ素子１が複数個並設され（図中では８個）、コンデンサ素子１の両端の平面側にコンデンサ素子１を挟み込むように保護部材５を配置した後に集合板２が設置される。
【００１４】
集合板２には集合部材３で固定するための固定部２ａが設けられている。集合板２を板材で製作することにより端部を折り曲げるだけで固定部２ａを製作することができる。そして、集合部材３には平鋼等が用いられ、集合部材３を固定部２ａにボルト等（図示せず）で固定してコンデンサ素子１の集合体が完成する。集合部材３には補強紙４が巻かれている。
【００１５】
そして、コンデンサ素子１の集合体がタンクや缶などの容器（図示せず）に収納され、絶縁油等の絶縁媒体が充填された後、密閉されてコンデンサ装置が完成する。
【符号の説明】
【００１６】
１    コンデンサ素子
１ａ  突き出し電極  
２    集合板
２ａ  固定部
３    集合部材
４    補強紙
５    保護部材
６    スタッド
【図１】
2011233719.tif 000003
【図２】
2011233719.tif 000004
【図３】
2011233719.tif 000005
【図４】
2011233719.tif 000006
【図５】
2011233719.tif 000007